(57)【要約】【課題】スピニングリールのスプールにおいて、安価な構成でスプール内部を防水できるようにするとともに、容易な工程でスプール全体の軽量化を図る。【解決手段】前フランジ固定部材９は、外周面が筒状部１６ａの内側面に装着され前鍔部９ａの内側後部から収納壁部１６ｇの前端部より前方となる位置まで延びる筒状の内筒部９ｃと、内筒部９ｃの後端部から内側に延びる延出部９ｄとを有している。延出部９ｄは、内筒部９ｃの後端部から内側に延びる板状部９ｅと、板状部９ｅの内周部に筒状に一体成形され内側面に防水部材８０の一端面が接触可能な円筒部９ｇとを有している。防水部材８０は、前フランジ固定部材９とドラグ機構６０のつまみ部６１の押圧部材６１ｂとの間に配置され、両端面が延出部９ｄの円筒部９ｇの内側面とつまみ部６１の押圧部材６１ｂの外側面とに接触して挟持されている。【選択図】図３
2008035817.tif 000002
【特許請求の範囲】
【請求項１】
釣り糸を前方に繰り出し、リール本体に対して前後移動自在なスピニングリールのスプールであって、
外周面に前記釣り糸が巻き付けられる筒状部と、前記筒状部の後端側の内周部から内側に延びる円板部と、前記円板部から前方に向けて筒状に突出して形成され内部に収納空間を生成する収納壁部とを有する糸巻胴部と、
前記筒状部の前端部に設けられ、前記筒状部の外径より大きい外径を有する環状の前フランジ部と、
前記前フランジ部の前端部に接触するように装着される前鍔部と、前記収納壁部の前端部より前方となる位置において前記前鍔部の内周部から内側に延びる延出部とを有する前フランジ固定部材と、
少なくとも一部が前記前フランジ固定部材の内周側に配置されるつまみ部と、前記収納空間に配置され前記つまみ部の後方への移動によって押圧される摩擦部とを有し、前記糸巻胴部の糸繰り出し方向への回転を制動するためのドラグ機構と、
前記前フランジ固定部材と前記ドラグ機構との間に配置され、両端面が前記延出部の内側面と前記つまみ部の外側面とに接触して挟持された防水部材と、
を備えたスピニングリールのスプール。
【請求項２】
前記延出部は、前記前鍔部の内周側から内側に延びる板状部と、前記板状部の内周部に筒状に形成され内側面に前記防水部材の一端面が接触可能な円筒部とを有している、請求項１に記載のスピニングリールのスプール。
【請求項３】
前記円筒部は、内側面が前記収納壁部の内側面と略同一又は前記収納壁部の内側面より外側に位置するように形成されている、請求項２に記載のスピニングリールのスプール。
【請求項４】
前記延出部は、内側面が前記収納壁部の内側面と略同一又は前記収納壁部の内側面より外側に位置するように形成されている、請求項１又は２に記載のスピニングリールのスプール。
【請求項５】
前記前鍔部は、前記つまみ部の最外径位置となる部分を覆うように前方に向かって傾斜するように形成されている、請求項１から４のいずれか１項に記載のスピニングリールのスプール。
【請求項６】
前記筒状部は、前端側の内側面に形成された雌ねじ部を有しており、
前記前鍔部は、内周部後面から後方に延び、外周面が前記筒状部の内側面に装着される筒状の内筒部を有しており、
前記内筒部は、外側面に形成され前記雌ねじ部に螺合する雄ねじ部を有している、請求項１から５のいずれか１項に記載のスピニングリールのスプール。
【請求項７】
前記筒状部は、前端側の外側面に形成された雄ねじ部を有しており、
前記前鍔部は、内周部後面から後方に延び、内周面が前記筒状部の外側面に装着される筒状の外筒部を有しており、
前記外筒部は、内側面に形成され前記雄ねじ部に螺合する雌ねじ部を有している、請求項１から５のいずれか１項に記載のスピニングリールのスプール。
【請求項８】
前記防水部材は、弾性を有する合成樹脂製のリップ部材である、請求項１から７のいずれか１項に記載のスピニングリールのスプール。
【請求項９】
前記防水部材は、前記つまみ部の外周面に止め輪部材によって固定されている、請求項１から８のいずれか１項に記載のスピニングリールのスプール。
【請求項１０】
前記前フランジ固定部材は、前記延出部の内周側に突出して形成され、前記防水部材の前面が接触可能な突出部をさらに有している、請求項１から９のいずれか１項に記載のスピニングリールのスプール。
【請求項１１】
前記突出部は、一部が切り欠かれて形成され、工具を係止するための係止部を有している、請求項１０に記載のスピニングリールのスプール。
【発明の詳細な説明】
【技術分野】
【０００１】
本発明は、スプール、特に、釣り糸を前方に繰り出し、リール本体に対して前後移動自在に設けられ、釣り糸が外周に巻き付けられるスピニングリールのスプールに関する。
【背景技術】
【０００２】
一般に、スピニングリールは、リール本体と、リール本体に回転自在に支持されたロータと、ロータの前方に配置され外周に釣り糸が巻き付けられるスプールとを備えている。このようなスプールは、外周に釣り糸が巻き付けられる糸巻胴部と、糸巻胴部の前端部に糸巻胴部よりも大径に設けられた前フランジ部と、前フランジ部の前端部に接触するように糸巻胴部の内周部に沿って装着された前フランジ固定部材と、糸巻胴部の後端部に糸巻胴部よりも大径に設けられたスカート部とを有している。また、この種のスプールでは、糸巻胴部の内周部には糸巻胴部の回転を制動するドラグ機構のドラグ板（摩擦部）を収納するための収納空間が形成されており、前方から収納空間の内部に水等が浸入するのを防止するための防水部材が前フランジ固定部材とドラグ機構の押圧部材（つまみ部）との間に配置されている（たとえば、特許文献１参照）。
【特許文献１】特開２０００−１３９２８６号公報
【発明の開示】
【発明が解決しようとする課題】
【０００３】
前記従来の防水部材は、糸巻胴部の内周部に沿って装着された前フランジ固定部材とドラグ機構の押圧部材との間に配置されているので、防水部材を大径に形成しなければならず、このため、弾性樹脂製のリップ部材の内部に金属製の円板部材を設けることによって防水部材自身を補強する必要が生じ、防水部材の製造コストが増大するおそれが生じる。そこで、ドラグ機構のドラグ板が収納される収納空間を生成する小径の収納壁部を前方に延出し、収納壁部の内周部に防水部材を装着することが考えられる。この場合には、収納壁部の内径は、糸巻胴部の内周部に沿って装着された前フランジ固定部材の内径より小径となっているので、防水部材を小径に形成することができ、したがって、防水部材を安価な弾性樹脂製のリップ部材のみで形成できる。
【０００４】
また、前記従来のスプールでは、特に、細い釣り糸を巻き付けるために、糸巻胴部の外径を大きく形成し、かつ前フランジ部の外径を小さく形成した浅溝スプールが知られている。このような浅溝スプールでは、糸巻胴部の外径が大きく形成されているので、糸巻胴部の内周部が厚肉に形成され、このため、スプール全体の重量が増加するおそれが生じる。そこで、糸巻胴部の内周部を切削加工によって切り欠いて中空の肉盗み部を形成することにより、スプール全体の軽量化を図ることが考えられる。
【０００５】
しかし、特に、小径の防水部材を装着するために収納壁部を前方に延出したスプールでは、肉盗み部を形成するために糸巻胴部の内周部と収納壁部の外周部との間を切削加工すると、収納壁部が前方に長く延出されているために、切削加工した際に発生した切削切粉が糸巻胴部の内周部と収納壁部の外周部との間に滞留してしまい、肉盗み部を切削加工するのが非常に困難である。
【０００６】
本発明の課題は、スピニングリールのスプールにおいて、安価な構成でスプール内部を防水できるようにするとともに、容易な工程でスプール全体の軽量化を図ることにある。
【課題を解決するための手段】
【０００７】
発明１に係るスピニングリールのスプールは、釣り糸を前方に繰り出し、リール本体に対して前後移動自在なスピニングリールのスプールであって、糸巻胴部と、前フランジ部と、前フランジ固定部材と、ドラグ機構と、防水部材とを備えている。糸巻胴部は、外周面に釣り糸が巻き付けられる筒状部と、筒状部の後端側の内周部から内側に延びる円板部と、円板部から前方に向けて筒状に突出して形成され内部に収納空間を生成する収納壁部とを有している。前フランジ部は、筒状部の前端部に設けられ、筒状部の外径より大きい外径を有する環状の部材である。前フランジ固定部材は、前フランジ部の前端部に接触するように装着される前鍔部と、収納壁部の前端部より前方となる位置において前鍔部の内周部から内側に延びる延出部とを有している。ドラグ機構は、少なくとも一部が前フランジ固定部材の内周側に配置されるつまみ部と、収納空間に配置されつまみ部の後方への移動によって押圧される摩擦部とを有し、糸巻胴部の糸繰り出し方向への回転を制動するための機構である。防水部材は、前フランジ固定部材とドラグ機構との間に配置され、両端面が延出部の内側面とつまみ部の外側面とに接触して挟持されている。
【０００８】
このスプールでは、前フランジ固定部材は、収納壁部の前端部より前方となる位置において前鍔部の内周部から内側に延びる延出部を有しており、防水部材は、前フランジ固定部材とドラグ機構との間に配置され、両端面が延出部の内側面とつまみ部の外側面とに接触して挟持されている。ここでは、防水部材は、先端面が延出部の内側面に接触するように配置されているので、防水部材を小径に形成することができ、このため、防水部材を安価な弾性樹脂製のリップ部材のみで形成できる。また、ここでは、収納壁部の内周部に防水部材が装着されていないので、収納壁部を前方に延出して形成する必要がなくなる。このため、筒状部の内周部と収納壁部の外周部との間に軽量化のための肉盗み部を形成するときに、切削加工する際に発生した切削切粉が糸巻胴部の内周部と収納壁部の外周部との間に滞留しにくくなるので、肉盗み部を切削加工するのが容易になる。したがって、安価な構成でスプール内部を防水できるとともに、容易な工程でスプール全体の軽量化を図ることができる。
【０００９】
発明２に係るスプールは、発明１のスプールにおいて、延出部は、前鍔部の内周側から内側に延びる板状部と、板状部の内周部に筒状に形成され内側面に防水部材の一端面が接触可能な円筒部とを有している。この場合、防水部材の一端面が接触可能な円筒部が形成されているので、防水部材を確実に接触させることができ、このため、防水性を向上できる。
【００１０】
発明３に係るスプールは、発明２のスプールにおいて、円筒部は、内側面が収納壁部の内側面と略同一又は収納壁部の内側面より外側に位置するように形成されている。この場合、防水部材によって収納壁部の前方を確実に覆うことができるので、防水性をさらに向上できる。
【００１１】
発明４に係るスプールは、発明１又は２のスプールにおいて、延出部は、内側面が収納壁部の内側面と略同一又は収納壁部の内側面より外側に位置するように形成されている。この場合、の場合、防水部材によって収納壁部の前方を確実に覆うことができるので、防水性をさらに向上できる。
【００１２】
発明５に係るスプールは、発明１から４のいずれかのスプールにおいて、前鍔部は、つまみ部の最外径位置となる部分を覆うように前方に向かって傾斜するように形成されている。この場合、前鍔部は前方に向かって傾斜するように形成されているので、釣り糸がつまみ部に引っ掛かりにくくなる。
【００１３】
発明６に係るスプールは、発明１から５のいずれかのスプールにおいて、筒状部は、前端側の内側面に形成された雌ねじ部を有している。前鍔部は、内周部後面から後方に延び、外周面が筒状部の内側面に装着される筒状の内筒部を有している。内筒部は、外側面に形成され雌ねじ部に螺合する雄ねじ部を有している。この場合、前フランジ固定部材の着脱が容易になる。
【００１４】
発明７に係るスプールは、発明１から５のいずれかのスプールにおいて、筒状部は、前端側の外側面に形成された雄ねじ部を有している。前鍔部は、内周部後面から後方に延び、内周面が筒状部の外側面に装着される筒状の外筒部を有している。外筒部は、内側面に形成され雄ねじ部に螺合する雌ねじ部を有している。この場合、前フランジ固定部材の着脱が容易になる。
【００１５】
発明８に係るスプールは、発明１から７のいずれかのスプールにおいて、防水部材は、弾性を有する合成樹脂製のリップ部材である。この場合、比較的安価なリップ部材によって、安価な構成でスプール内部を防水できる。
【００１６】
発明９に係るスプールは、発明１から８のいずれかのスプールにおいて、防水部材は、つまみ部の外周面に止め輪部材によって固定されている。この場合、簡素な構成で防水部材を固定できる。
【００１７】
発明１０に係るスプールは、発明１から９のいずれかのスプールにおいて、前フランジ固定部材は、延出部の内周側に突出して形成され、防水部材の前面が接触可能な突出部をさらに有している。この場合、防水部材の前面を突出部としてのリブに接触させることにより、防水性をさらに向上できる。
【００１８】
発明１１に係るスプールは、発明１０のスプールにおいて、突出部は、一部が切り欠かれて形成され、工具を係止するための係止部を有している。この場合、工具を係止するための係止部としてスリットを設けることにより、組立性を向上できる。
【発明の効果】
【００１９】
本発明によれば、スピニングリールのスプールにおいて、前フランジ固定部材は、収納壁部の前端部より前方となる位置において前鍔部の内周部から内側に延びる延出部を有しており、防水部材は、前フランジ固定部材とドラグ機構との間に配置され、両端面が延出部の内側面とつまみ部の外側面とに接触して挟持されているので、安価な構成でスプール内部を防水できるとともに、容易な工程でスプール全体の軽量化を図ることができる。
【発明を実施するための最良の形態】
【００２０】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２１】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２２】
ロータ駆動機構５は、図２に示すように、ハンドル１が固定されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００２３】
オシレーティング機構６は、スプール４の中心部にドラグ機構６０を介して連結されたスプール軸１５を前後方向に移動させてスプール４を同方向に移動させるための機構である。オシレーティング機構６は、図２に示すように、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２４】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２５】
第１ロータアーム３１の先端の外周側には、図２に示すように、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００２６】
ラインローラ４１と第２ベール支持部材４２との間には、線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２７】
ロータ３の円筒部３０の内部には、ロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２８】
スプール４は、図２に示すように、ロータ３の第１ロータアーム３１と第２ロータアーム３２との間に配置されており、スプール軸１５の先端にドラグ機構６０を介して装着されている。
【００２９】
スプール４は、図２及び図３に示すように、細い釣り糸を巻き付けるための浅溝スプールであって、外周に釣り糸が巻かれる筒状の糸巻胴部７ａと、糸巻胴部７ａの後端部に一体で形成された大径筒状のスカート部７ｂと、糸巻胴部７ａの前端部に設けられた大径の前フランジ部８と、前フランジ部８を糸巻胴部７ａに固定するための前フランジ固定部材９と、ドラグ機構６０と、防水部材８０とを有している。スプール４は、外周部がたとえばアルミニウム合金等の金属製の部材を鍛造加工することによって形成された大小２段の円筒状の部材であって、第１軸受５６及び第２軸受５７によりスプール軸１５に回転自在に装着されている。
【００３０】
糸巻胴部７ａは、図３に示すように、金属製部材により円筒状に形成された筒状部１６ａと、筒状部１６ａの前部内周側に形成された雌ねじ部１６ｂと、筒状部１６ａの後部内周側に一体的に延びる板状の円板部１６ｃと、円板部１６ｃから前方に向けて筒状に突出して形成され内部に収納空間１６ｆを生成する収納壁部１６ｇとを有している。また、筒状部１６ａの内周部と収納壁部１６ｇの外周部との間には、軽量化のために切削加工によって形成された肉盗み部１００が生成されている。雌ねじ部１６ｂは、前フランジ固定部材９を糸巻胴部７ａに着脱自在に装着するために設けられ、後述する前フランジ固定部材９の雄ねじ部９ｂが螺合可能である。円板部１６ｃの内側には、有底筒状の第１支持部１６ｄ及び第２支持部１６ｅが前後にそれぞれ形成されている。第１支持部１６ｄ及び第２支持部１６ｅの内側には、第１軸受５６及び第２軸受５７が装着されており、第１軸受５６及び第２軸受５７は、筒状の保持部材７０を介してスプール軸１５に回転自在に装着されている。
【００３１】
スカート部７ｂは、図２に示すように、ロータ３の円筒部３０を覆うように大径筒状に糸巻胴部７ａと一体成形されている。スカート部７ｂは、たとえばアルミニウム合金等の金属製の部材を鍛造加工することにより形成されている。
【００３２】
前フランジ部８は、図３に示すように、糸巻胴部７ａの前端部に設けられ、糸巻胴部７ａの外径より大きい外径を有する環状の部材である。前フランジ部８は、糸巻胴部７ａの前端部と前フランジ固定部材９とで挟持されている。
【００３３】
前フランジ固定部材９は、図３に示すように、前フランジ部８の前端部に接触するように装着され前端部側に向かって縮径するように前方に突出する前鍔部９ａと、前鍔部９ａの内周部後面から後方に延び外周面が筒状部１６ａの内側面に装着され前鍔部９ａの内側後部から収納壁部１６ｇの前端部より前方となる位置まで延びる筒状の内筒部９ｃと、内筒部９ｃの後端部外周に形成され糸巻胴部７ａの雌ねじ部１６ｂに螺合する雄ねじ部９ｂと、内筒部９ｃの後端部から内側に延びる延出部９ｄとを有している。延出部９ｄは、図３に示すように、内筒部９ｃの後端部から内側に延びる板状部９ｅと、板状部９ｅの内周部に筒状に一体成形され内側面に後述する防水部材８０の一端面が接触可能な円筒部９ｇとを有している。円筒部９ｇは、外周面の略中央部のやや前部に板状部９ｅの内周部が位置するように形成され、内側面が収納壁部１６ｇの内側面よりやや外側に位置するように形成されている。
【００３４】
また、前フランジ固定部材９は、延出部９ｄの内周側に突出して形成され、防水部材８０の前面が接触可能な突出部９ｈ（図４参照）と、突出部９ｈの一部が切り欠かれて形成され、組み立て時に工具を係止するための係止部９ｉ（図３参照）とをさらに有している。突出部９ｈは、延出部９ｄの内周側の２箇所に設けられたリブであり、係止部９ｉは、突出部９ｈの一部が切り欠かれたスリットである。前フランジ固定部材９の内周部には、後述するドラグ機構６０のつまみ部６１の後端側から後方部分が収納されており、前鍔部９ａは、つまみ部６１の最外径位置となる部分を覆うように前方に向かって傾斜するように形成されている。
【００３５】
ドラグ機構６０は、図２及び図３に示すように、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。つまみ部６１は、図３に示すように、前方に露出するように設けられ回動によって前後移動可能なつまみ部材６１ａと、前端がつまみ部材６１ａの後端に接触するように配置され後端がドラグ板６２に接触するように配置されつまみ部６１の前後移動に応じてドラグ板６２を押圧するための筒状の押圧部材６１ｂとを有している。押圧部材６１ｂの外周部には、後述する防水部材８０が装着され、防水部材８０の後端部には、押圧部材６１ｂの外周部に形成された溝部６１ｃにＥ型止め輪等の止め輪部材８１を装着することによって固定されている。
【００３６】
防水部材８０は、図３に示すように、前フランジ固定部材９とドラグ機構６０のつまみ部６１の押圧部材６１ｂとの間に配置され、両端面が延出部９ｄの円筒部９ｇの内側面とつまみ部６１の押圧部材６１ｂの外側面とに接触して挟持されている。防水部材８０は、たとえばＮＢＲ等の弾性を有する合成樹脂製のリップ部材である。防水部材８０は、外周部の皿状のリップが前方側に向くように装着されている。
【００３７】
次にリールの操作及び動作について説明する。
【００３８】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により釣り糸巻き取り位置に復帰しロータ３の逆転が禁止されているので釣り糸の放出が止まる。
【００３９】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４０】
このようなスピニングリールでは、前フランジ固定部材９は、前鍔部９ａの内側後部から収納壁部１６ｇの前端部より前方となる位置まで延びる筒状の内筒部９ｃと、内筒部９ｃの後端部から内側に延びる延出部９ｄとを有している。また、防水部材８０は、前フランジ固定部材９とドラグ機構６０のつまみ部６１の押圧部材６１ｂとの間に配置され、両端面が延出部９ｄの円筒部９ｇの内側面とつまみ部６１の押圧部材６１ｂの外側面とに接触して挟持されている。
【００４１】
ここでは、防水部材８０は、先端面が延出部９ｄの円筒部９ｇの内側面に接触するように配置されているので、防水部材８０を小径に形成することができ、このため、防水部材８０を安価な弾性樹脂製のリップ部材のみで形成できる。さらに、ここでは、収納壁部１６ｇの内周部に防水部材８０が装着されていないので、収納壁部１６ｇを前方に延出して形成する必要がなくなる。このため、筒状部１６ａの内周部と収納壁部１６ｇの外周部との間に軽量化のための肉盗み部１００を形成するときに、切削加工する際に発生した切削切粉が筒状部１６ａの内周部と収納壁部１６ｇの外周部との間に滞留しにくくなるので、肉盗み部１００を切削加工するのが容易になる。したがって、安価な構成でスプール内部を防水できるとともに、容易な工程でスプール全体の軽量化を図ることができる。
【００４２】
〔他の実施形態〕
（ａ）  前記実施形態では、細い釣り糸を巻き付けるための浅溝スプールを例にあげて説明したが、他のあらゆるスピニングリールのスプールに本発明を適用できる。
【００４３】
（ｂ）  前記実施形態では、糸巻胴部７ａとスカート部７ｂとを金属によって一体成形されていたが、たとえば合成樹脂によって糸巻胴部７ａとスカート部７ｂとを一体成形したり、あるいは糸巻胴部７ａとスカート部７ｂとを異なる材質の部材によって別体で構成してもよい。
【００４４】
（ｃ）  前記実施形態では、２つの第１軸受５６及び第２軸受５７を用いたが、これに限定されるものではなく、たとえば１つの軸受のみ用いる構成にしてもよい。
【００４５】
（ｄ）  前記実施形態では、前フランジ固定部材９は、突出部９ｈや係止部９ｉを有していたが、図５に示すように、係止部、あるいは突出部及び係止部を有さない構成にしてもよい。
【００４６】
（ｅ）  前記実施形態では、円筒部９ｇは、外周面の略中央部のやや前部に板状部９ｅの内周部が位置するように形成されていたが、円筒部９ｇと板状部９ｅの接続位置はこれに限定されるものではなく、図６に示すように、外周面の前部に板状部９ｅの内周部が位置するように円筒部９ｇを形成する構成にしてもよい。また、図８に示すように、円筒部９ｇを収納壁部１６ｇの前端部まで後方に延出する構成にしてもよい。また、図７に示すように、円筒部を有さない構成にしてもよい。なお、この場合には、延出部９ｄは、内筒部９ｃの後端部から内側に延びる板状部９ｅのみ有しており、板状部９ｅの内側面が収納壁部１６ｇの内側面よりやや外側に位置するように形成されており、板状部９ｅの内周面に防水部材８０の一端面が接触するようになっている。
【００４７】
（ｆ）  前記実施形態では、前フランジ固定部材９は、内筒部９ｃの後端部外周に形成された雄ねじ部９ｂを、糸巻胴部７ａの雌ねじ部１６ｂに螺合することによって固定していたが、図９に示すように、前フランジ固定部材９は、前鍔部９ａの内周部後面から後方に延び、内周面が糸巻胴部７ａの外側面に装着される筒状の外筒部９ｊをさらに備え、外筒部９ｊの後端部内周に形成された雌ねじ部９ｋを、糸巻胴部７ａの前端部外周に形成された雄ねじ部１６ｈに螺合することによって固定する構成にしてもよい。
【図面の簡単な説明】
【００４８】
【図１】本発明の一実施形態によるスピニングリールの側面図。
【図２】前記スピニングリールの側面断面図。
【図３】前記スピニングリールのスプールの側面拡大断面図。
【図４】前フランジ固定部材の斜視図。
【図５】他の実施形態の図３に相当する図。
【図６】他の実施形態の図３に相当する図。
【図７】他の実施形態の図３に相当する図。
【図８】他の実施形態の図３に相当する図。
【図９】他の実施形態の図３に相当する図。
【符号の説明】
【００４９】
１  ハンドル
２  リール本体
３  ロータ
４  スプール
５  ロータ駆動機構
６  オシレーティング機構
７ａ  糸巻胴部
７ｂ  スカート部
８  前フランジ部
９  前フランジ固定部材
９ａ  前鍔部
９ｂ  雄ねじ部
９ｃ  内筒部
９ｄ  延出部
９ｅ  板状部
９ｇ  円筒部
９ｈ  突出部
９ｉ  係止部
９ｊ  外筒部
９ｋ  雌ねじ部
１６ａ  筒状部
１６ｂ  雌ねじ部
１６ｃ  円板部
１６ｄ  第１支持部
１６ｅ  第２支持部
１６ｆ  収納凹部
１６ｇ  収納壁部
１６ｈ  雄ねじ部
６０  ドラグ機構
６１  つまみ部
６１ａ  つまみ部材
６１ｂ  押圧部材
６２  ドラグ板
８０  防水部材
８１  止め輪部材
１００  肉盗み部
【図１】
2008035817.tif 000003
【図２】
2008035817.tif 000004
【図３】
2008035817.tif 000005
【図４】
2008035817.tif 000006
【図５】
2008035817.tif 000007
【図６】
2008035817.tif 000008
【図７】
2008035817.tif 000009
【図８】
2008035817.tif 000010
【図９】
2008035817.tif 000011